(57)【要約】【課題】床面を傷付きから保護すると共に、床面のごみやほこりを吸着・集塵して床面の清掃を行うこともできる椅子脚カバーを提供すること。【解決手段】椅子の脚部の下端部分に装着して用いられる椅子脚カバーにおいて、該脚カバーが床面と接する面及び／又はその周辺部分に、極細繊維で形成された吸塵部が配設されている椅子脚カバー。椅子脚カバーと吸塵部は、極細繊維で一体的に形成されていてもよい。【選択図】図１
2011212362.tif 000002
【特許請求の範囲】
【請求項１】
椅子の脚部の下端部分に装着して用いられる椅子脚カバーにおいて、該脚カバーが床面と接する面及び／又はその周辺部分に、極細繊維で形成された吸塵部が配設されていることを特徴とする椅子脚カバー。
【請求項２】
椅子脚カバーと吸塵部が極細繊維で一体的に形成されていることを特徴とする請求項１記載の椅子脚カバー。
【発明の詳細な説明】
【技術分野】
【０００１】
本発明は、椅子の脚カバー、より詳しくは、フローリング等の床面の傷付き防止機能や防音機能と共に、床面のごみやほこりの吸着・集塵機能を有する椅子脚カバーに関する。    
【背景技術】
【０００２】
従来の椅子の脚カバーとしては、床面の傷防止を目的として、あるいは椅子のひきずり音を和らげることを目的として、色々な材質、形状のものが提案され、また、既に市販されている。例えば、メリヤス編みで筒状に編成されたもの（例えば、特許文献１、２参照）や、袋状に形成した布を椅子の脚部に嵌挿して用いるもの（例えば、特許文献３、４参照）等が知られている。しかしながら、椅子脚カバーに、床面のごみやほこりの吸着・集塵機能を付与したタイプのものは、本発明者の知る限り、これまで提案されたことはなかった。
【先行技術文献】
【特許文献】
【０００３】
【特許文献１】特開２００５−１０２８８５号公報
【特許文献２】実用新案登録第３１４５６５０号公報
【特許文献３】実用新案登録第３０９２９０２号公報
【特許文献４】実用新案登録第３０９０４５９号公報
【発明の概要】
【発明が解決しようとする課題】
【０００４】
本発明の課題は、床面を傷付きから保護すると共に、床面のごみやほこりを吸着・集塵して床面の清掃を行うこともできる椅子脚カバーを提供することにある。
【課題を解決するための手段】
【０００５】
上記課題は、椅子の脚部の下端部分に装着して用いられる椅子脚カバーにおいて、該脚カバーが床面と接する面及び／又はその周辺部分に、極細繊維で形成された吸塵部が配設されていることを特徴とする本発明の椅子脚カバーによって達成される。
【発明の効果】
【０００６】
本発明で使用される極細繊維は、通常の繊維に比べ、ごみやほこりを吸着あるいは集塵する性能が非常に大きい。従って、かかる極細繊維で作られた本発明の椅子脚カバーを取り付けた椅子、あるいは、公知の通常の椅子脚カバーの一部（椅子脚カバーが床面と接する面及び／又はその周辺部分）に、極細繊維で形成された吸塵部が配設されたものを取り付けた椅子は、この椅子を動かす範囲内のごみやほこりを、前記椅子脚カバーの極細繊維からなる吸塵部が吸着・集塵し、結果として、床面の清掃を行うことができる。そして、汚れた椅子カバーは取り外して洗濯し、繰り返し使用することができる。
【図面の簡単な説明】
【０００７】
【図１】本発明の椅子脚カバーの一つの態様を示す。
【図２】本発明の椅子脚カバーの他の態様を示す。
【発明を実施するための形態】
【０００８】
本発明は、椅子の脚部の下端部分に装着して用いられる椅子脚カバーであって、該脚カバーが床面と接する面及び／又はその周辺部分に、極細繊維で形成された吸塵部が配設されているものである。椅子脚カバーと極細繊維で形成された吸塵部は別々に形成されていてもよく、あるいは、椅子脚カバーが吸塵部も含め極細繊維で一体的に形成されていてもよい。
【０００９】
本発明において用いられる極細繊維とは、繊度が１ｄｔｅｘ以下のものを意味するが、取り扱い易さと吸着・集塵性能を考慮すると、０．０１〜０．７ｄｔｅｘの極細繊維が好ましい。極細繊維の樹脂成分の種類や形態等については、何ら制限されるものではない。単一成分からなる極細繊維であっても、易分割型複合繊維を分割する方法、あるいは複合成分繊維の一つの成分を溶解除去する方法に得られる極細繊維であってもよい。樹脂成分としては、ポリエステル、ポリアミド、ポリアクリロニトリル、ポリオレフィン等が挙げられる。
【００１０】
易分割型複合繊維とは、機械的な衝撃により分割しやすく、分割することにより繊度が０．０１〜０．７ｄｔｅｘ程度の極細繊維を与える繊維である。かかる易分割型複合繊維としては、ポリアミド成分とポリエステル成分、ポリアミド成分とポリオレフィン成分、ポリアミド成分とポリアクリロニトリル系ポリマー成分、ポリエステル成分とポリオレフィン成分等の組合せを例示できるが、これら２種類の樹脂成分からなる易分割型繊維に限定されるものではなく、３種類以上の樹脂成分からなる易分割型複合繊維であってもよい。本発明においては、ポリアミド成分とポリエステル成分の組み合わせが好ましい。
【００１１】
易分割型複合繊維中の各成分はどのように配置されていても良く、例えば、断面が、両成分を交互に放射状に張り合わせた形状の繊維（中空繊維であってもよい）や、異なる成分を交互に層状に積層したバイメタル型繊維や、一つの成分が放射状に形成され、その間にくさび形の他の成分が配置されているような断面形状を有する繊維等がある。これらの易分割型複合繊維から得られる極細繊維は、鋭利な断面形状部分を有するため、断面がほぼ円形の極細繊維に比べて、吸着・集塵機能により優れている。
【００１２】
以下、図面を用いて本発明を詳しく説明する。図１は、本発明の椅子脚カバーにおいて、
脚カバーが床面と接する面及びその周辺部分に、極細繊維で形成された吸塵部が配設されている態様のものを示す。図１において、１は椅子、２は椅子脚カバーを示す。椅子脚カバー２は、椅子の脚部に嵌挿される筒状部分３と、その底面と下部の周囲を覆うように配設された極細繊維からなる吸塵部４とから構成されている。図１の吸塵部４の形状は特に限定されるものではないが、椅子脚カバーの下部の周囲を覆うように配設された部分は、図に示したように、ごみやほこりを吸着・集塵し易いように、綿ぼうし様あるいはパイル状に形成されているのが好ましい。筒状部分３と吸塵部４は、例えば、編み機等で一体的に作製し椅子脚カバーとしてもよいし、あるいは、別々に作られた両者を縫い合わせるか、接着剤等を用いて合体させて椅子脚カバーとしてもよい。
【００１３】
図２は、本発明の椅子脚カバーにおいて、椅子脚カバーと吸塵部が極細繊維で一体的に形成されている態様のものを示す。図２において、２は椅子脚カバーを示し、椅子脚カバー全体が極細繊維で構成されている。この場合、脚カバーが床面と接する面及び／又はその周辺部分が吸塵部にもなる。
【００１４】
本発明の椅子脚カバーは、その底面及び／又はその下部の周辺部分に配設された極細繊維からなる吸塵部で、ごみやほこりを吸着・集塵するので、床面の掃除をするのに役立ち、汚れた椅子脚カバーは簡単に取り外して洗濯し、繰り返し使用することができる。また、部屋のインテリアと合わせて、任意の色々な形状・色のものを作製することができる。
【符号の説明】
【００１５】
１  椅子
２  椅子脚カバー
３  椅子脚カバーの筒状部分
４  吸塵部
【図１】
2011212362.tif 000003
【図２】
2011212362.tif 000004